(57)【特許請求の範囲】
【請求項１】
レンズを保持し、前記レンズの光軸方向へ移動可能な可動体と、
前記可動体を前記光軸方向へ駆動するための駆動機構と、
前記可動体を前記光軸方向へ移動可能に支持する板バネと、
前記板バネが取り付けられる基部と、を備え、
前記駆動機構は、前記可動体に取り付けられる駆動用コイルを有しており、
前記基部は、前記駆動用コイルに電流を供給するための端子が取り付けられており、
前記板バネは、
前記可動体に固定され、前記駆動用コイルに電気的に接続される接続部を有する可動体固定部と、
前記基部に固定される基部固定部と、
前記可動体固定部と前記基部固定部とを繋ぐ腕部と、
前記端子と電気的に接続される端子接続部と、
前記基部固定部と前記端子接続部とを繋ぎ、前記端子接続部を前記端子に対して付勢する弾性部とを有し、
前記基部は、前記板バネを固定するための複数の板バネ固定部を備え、
前記複数の板バネ固定部は、前記基部を平面視したときに、左右非対称となる位置に設けられていることを特徴とするレンズ駆動装置。
【請求項２】
前記端子は、前記端子接続部との接続部分が板状に形成されており、前記端子接続部と面接触するよう構成されることを特徴とする請求項１に記載のレンズ駆動装置。
【請求項３】
前記端子接続部と、前記端子とは、レーザ溶接により接続されることを特徴とする請求項１または２に記載のレンズ駆動装置。
【請求項４】
前記基部は、
前記板バネの基部固定部を上部に固定するための板バネ固定部と、
前記端子を上部に取り付けるための端子固定部と、を有し、
前記端子は、
前記板バネの前記端子接続部が上部に固定される板バネ接続部を備え、
前記端子固定部に取り付けられた時に、前記板バネ接続部における端子の厚みと端子固定部の高さとを合わせた高さが、前記板バネ固定部の高さよりも高くなることを特徴とする請求項１から３のいずれか１項に記載のレンズ駆動装置。
【請求項５】
前記基部固定部は、第１部分および第２部分から構成され、
前記弾性部は、前記第１部分と前記端子接続部とを繋ぐ第１弾性部と、前記第２部分と前記端子接続部とを繋ぐ第２弾性部とを有していることを特徴とする請求項１から４のいずれか１項に記載のレンズ駆動装置。
【発明の詳細な説明】
【技術分野】
【０００１】
本発明は、画像または映像を撮像する機能を有する電子機器に搭載されるレンズ駆動装置に関し、特に、レンズバレルを保持するレンズホルダに設けられ、レンズホルダを、ベース部材を含む固定部に対して、光軸方向に変位可能に支持する板バネに関する。
【背景技術】
【０００２】
近年、携帯電話等の電子機器に比較的小型のカメラユニットが搭載されることが多くなっている。このような小型カメラユニットは、例示的には、レンズを含む駆動機構を備えるレンズ駆動装置と、撮像素子等の素子を含むセンサ基板とから構成される。また、レンズ駆動装置においては、駆動機構の構成要素であるコイルに対し電流を供給するため、当該コイルと、センサ基板とは電気的に接続される。また、センサ基板側から、コイルに対して電流を供給するための給電端子が設けられる。このレンズ駆動装置と、センサ基板側との接続に関し、様々な技術が提案されている。【０００３】
例えば、特許文献１には、可動レンズを有し鏡筒に対して光軸方向へ移動される可動部と、駆動用マグネットと駆動用コイルとを有し可動部を光軸方向へ移動させるリニアアクチュエーターと、可動部を保持する保持部と可動部を光軸方向へ付勢する複数のバネ部と鏡筒に取り付けられる被取付部とを有する一対の付勢用板バネとを設け、一対の付勢用板バネの一方を２つのバネ部材によって構成し、２つのバネ部材にそれぞれ駆動用コイルの両端部に接続されるコイル接続部と駆動用コイルへの通電用の接続端子部とを設けたレンズ駆動装置が提案されている。【０００４】
特許文献１に記載のレンズ駆動装置では、板バネに接続端子部を設け、被取付部に対して約９０°折り曲げられて後方（センサ基板側）へ突出されている。【０００５】
また、特許文献２では、レンズ駆動装置のベース部材に端子を設けて、端子を介して、板バネと基板側とを電気的に接続する構成が提案されている。なお、特許文献２では、板バネの端面と、端子の端面とを半田付けで接続することが提案されている。
【先行技術文献】
【特許文献】
【０００６】
【特許文献１】日本国公開特許公報「特開２００６−２５１２１６号（２００６年９月２１日公開）」
【特許文献２】日本国公開特許公報「特開２０１１−１０２８２３号（２０１１年５月２６日公開）」
【発明の概要】
【発明が解決しようとする課題】
【０００７】
しかしながら、特許文献１に記載のレンズ駆動装置は、板バネを折り曲げて給電端子としており、その厚さは板バネと同様数十ミクロンであるため、強度が弱く、先端位置も安定しないため、基板との接続が困難であった。【０００８】
また、特許文献２に記載のレンズ駆動装置は、端子と板バネを半田付けにより接続しており、板バネの端面と、端子の端面とが半田付けにより接続されるため、安定的な接点が得られにくいという問題があった。【０００９】
本発明は上記課題に鑑みてなされたものであり、その目的は、板バネと端子との接続をより確実に行うことが可能なレンズ駆動装置を提供することにある。
【課題を解決するための手段】
【００１０】
上記の課題を解決するために、本発明の一態様に係るレンズ駆動装置は、レンズを保持し、前記レンズの光軸方向へ移動可能な可動体と、前記可動体を前記光軸方向へ駆動するための駆動機構と、前記可動体を前記光軸方向へ移動可能に支持する板バネと、前記板バネが取り付けられる基部と、を備え、前記駆動機構は、前記可動体に取り付けられる駆動用コイルを有しており、前記基部は、前記駆動用コイルに電流を供給するための端子が取り付けられており、前記板バネは、前記可動体に固定されるとともに、前記駆動用コイルに電気的に接続される接続部を有する可動体固定部と、前記基部に固定される基部固定部と、前記可動体固定部と前記基部固定部とを繋ぐ腕部と、前記端子と電気的に接続される端子接続部と、前記基部固定部と前記端子接続部とを繋ぎ、前記端子接続部を前記端子に対して付勢する弾性部とを有し、前記基部は、前記板バネを固定するための複数の板バネ固定部を備え、前記複数の板バネ固定部は、前記基部を平面視したときに、左右非対称となる位置に設けられている。
【発明の効果】
【００１１】
本発明の一態様によれば、板バネは、基部固定部と端子接続部とを有し、基部固定部と端子接続部との間を弾性部により繋いでいることにより、板バネと端子との電気的接続を安定的に行うことが可能となる。
【図面の簡単な説明】
【００１２】
【図１】本発明の一実施形態に係るベースおよび端子下側板バネの斜視図である。
【図２】本発明の一実施形態に係るレンズ駆動装置の斜視図である。
【図３】本発明の一実施形態に係るレンズ駆動装置の分解斜視図である。
【図４】本発明の一実施形態に係る下側板バネの平面図である。
【図５】本発明の一実施形態に係る端子の斜視図である。
【図６】本発明の一実施形態に係るベースの斜視図である。
【図７】本発明の一実施形態に係るベースおよび端子の斜視図である。
【発明を実施するための形態】
【００１３】
〔第１実施形態〕
以下、図１〜７を参照して、本発明の実施形態について説明すると以下のとおりである。図２は、本発明の一実施形態（第１実施形態）に係るレンズ駆動装置の斜視図である。図３は、レンズ駆動装置の分解斜視図である。
【００１４】
（レンズ駆動装置の外観および概略的構成）
まず、図２を用いて、レンズ駆動装置の外観および概略的構成について説明する。図２に示すとおり、レンズ駆動装置１は、レンズバレル２を光軸Ｌ方向に移動させるためのものである。レンズ駆動装置１は、例示的には、駆動源（駆動方法）として、ボイス・コイル・モータ（ＶＣＭ）を使用したＶＣＭ方式のレンズ駆動装置である。レンズ駆動装置１が、センサ基板（図示せず）、および、撮像素子（図示せず）と組み合わされることによって、カメラモジュールが構成される。このようなカメラモジュールは、例えば、携帯電話機や、タブレット型ＰＣ（Personal Computer）などの電子機器に搭載される。
【００１５】
図２に示すように、レンズ駆動装置１は、略四角柱状に形成されている。レンズ駆動装置１は、概略的には、レンズバレル２をはじめとする各種部品を格納するためのヨーク３と、センサ基板への取り付け基部となるベース１１と、２つの端子１０と、を有する構成である。
【００１６】
以下では、レンズ駆動装置１の光軸Ｌの被写体方向を「上」方向、被写体方向と逆方向を「下」方向とする。また、光軸Ｌに垂直な面を水平面とする。また、レンズ駆動装置１において２つの端子１０が取り付けられる面を前面と称し、２つの端子１０が取り付けられる面に対向する面を背面と称する。前面および背面の垂線と、光軸Ｌに対して垂直な方向を左右方向とする。
【００１７】
ヨーク３は、レンズ駆動装置１の上面と、側面の大部分とを構成する。すなわち、ヨーク３は、後述する磁石６との間で磁気回路を形成するのに用いるだけでなく、レンズ駆動装置１の内部機構を収納するためのカバー部材としても用いている。ヨーク３の４つの側面は、例示的に、対向する側面が略平行になるよう構成されている。また、ヨーク３の上面には、円形の開口部が設けられ、これによりレンズバレル２等が外部（例えば、被写体）に対して露出するようになっている。また、ヨーク３は、ベース１１の上部を覆うように設けられる。なお、図２に示すヨーク３の形状はあくまで例示的なものであり、ヨーク３の内部に収められる内部機構の形状に合わせて変形可能である。
【００１８】
ベース１１は、レンズ駆動装置１の底面と、側面の一部分とを構成する。ベース１１の下部には、センサ基板（図示せず）が配置される。ベース１１は、図３に示すように、レンズバレル２から通して入射する光を通過させるため開口されている。また、ベース１１には、２つの端子１０が取り付けられている。
【００１９】
２つの端子１０は、ベース１１の一辺の端部において、左右に離間して設けられる。２つの端子１０は、ベース１１の下部に配置されるセンサ基板と、電気的に接続される。
【００２０】
センサ基板は、撮像素子やクロック発生源などの電子部品を搭載する。撮像素子は、センサ基板において、レンズバレル２の下方、かつ光軸Ｌ上に配置され、レンズバレル２を通して入射する光を電気信号に変換する。撮像素子は、例えば、ＣＣＤ（charge coupled device）型イメージセンサ、ＣＭＯＳ（complementary metal oxide semiconductor）型イメージセンサ等により構成される。
【００２１】
なお、ヨーク３およびベース１１は、例示的に、上下方向から見たときに略正方形になるように構成している。
【００２２】
（レンズ駆動装置の内部機構および詳細構成）
次に、図３を用いて、レンズ駆動装置１の内部機構および詳細構成について説明する。図３に示すとおり、レンズ駆動装置１のヨーク３には、上方から下方にかけて、スペーサ４、上側板バネ５、可動レンズユニット１２、および下側板バネ９が、順に組み立てられた状態で収納される。なお、以下では、上側板バネ５および下側板バネ９を区別せずに総称する際には、“一対の板バネ５、９”と称する。
【００２３】
可動レンズユニット１２は、レンズバレル２と、レンズバレル２を保持するレンズホルダ８と、このレンズホルダ８の外周に位置するように固定された駆動コイル７と、この駆動コイル７の外周に配置された磁石６とを備える。
【００２４】
レンズホルダ８は、レンズバレル２を保持するための筒状の部材である。レンズホルダ８は、例示的に、上下方向から見たときの内周面の形状が略円形状となり、上下方向から見たときの外周面の形状が略正八角形となるように形成している。
【００２５】
駆動コイル７は、下側板バネ９と電気的に接続され（詳細は後述）、下側板バネ９から電力の供給を受けて、磁石６との作用で可動レンズユニット１２の駆動力を生じさせる。また、駆動コイル７の形状は、例示的に、レンズホルダ８の外周を囲むように、レンズホルダ８より一回り大きい筒状としている。また、駆動コイル７は、上下方向から見たとき上下の端部が略八角形となるように形成されている。
【００２６】
磁石６は、例示的に、略三角柱状の４つの部材から構成している。これら４つの部材は、ヨーク３の側面と、コイル７の外周との間に形成される空間に配置される。すなわち、４つの部材は、ヨーク３の２つの対角線上に対向するように配置される。
【００２７】
レンズホルダ８の光軸方向両側には、一対の板バネ５、９が設けられる。
【００２８】
一対の板バネ５、９は、レンズホルダ８を径方向に位置決めした状態で光軸方向に変位可能に支持する。
【００２９】
上側板バネ５は、外周側の枠の部分をスペーサ４に固定される。スペーサ４は、ヨーク３の内側上面に固定されている。
【００３０】
上側板バネ５および下側板バネ９は、例えば、ステンレス鋼やベリリウム銅などの導電性の金属からなる。そして、上側板バネ５および下側板バネ９は、所定の薄板に対するプレス加工、あるいはフォトリソグラフィ技術を用いたエッチング加工により製造される。
【００３１】
（下側板バネの構成）
図４に示すように、下側板バネ９は２つのパーツ９１および９２から構成される。まず、パーツ９１および９２の間で共通の構成について、パーツ９１を中心に説明する。なお、括弧書きの符号はパーツ９２の対応する部材番号を示す。
【００３２】
パーツ９１（９２）は、ベース１１に固定されるベース固定部９１１（９２１）と、レンズホルダ８（すなわち、可動レンズユニット１２）を固定するレンズホルダ固定部９１２（９２２）と、２つのアーム部９１３（９２３）と、を有する構成である。
【００３３】
ベース固定部９１１（９２１）とレンズホルダ固定部９１２（９２２）とは、２つのアーム部９１３（９２３）によって接続される。また、ベース固定部９１１（９２１）には、それぞれ、位置決め穴９１１ａ（９２１ａ）と、端子接続部９１１ｂ（９２１ｂ）とが設けられている。端子接続部９１１ｂ（９２１ｂ）は、先端が二又に分かれた形状となっている。
【００３４】
レンズホルダ固定部９１２（９２２）は、例示的に、レンズホルダ８の下端の形状に従って、円弧形状に形成している。また、レンズホルダ固定部９１２（９２２）には、その一端において、コイル接続部９１２ａ（９２２ａ）が設けられている。
【００３５】
ベース固定部９１１（９２１）は、ベース１１に固定され、レンズホルダ固定部９１２（９２２）は、レンズホルダ８の下端に固定される。
【００３６】
なお、レンズホルダ８に固定されたコイル７は、下端において下側板バネ９の２つのコイル接続部９１２ａおよび９２２ａと位置合わせされ、下側板バネ９の２つのコイル接続部９１２ａおよび９２２ａに対して半田付け等により接続される。よって、コイル７の下端において、コイル接続部９１２ａおよび９２２ａとの接点のそれぞれは、互いに対向する位置関係となる。
【００３７】
以下、パーツ９１および９２の間で相違する構成について、詳細に説明する。
【００３８】
パーツ９１では、ベース固定部９１１において、端子接続部９１１ｂが、２つのアーム部９１３の間に設けられる。また、端子接続部９１１ｂは、ベース固定部９１１とレンズホルダ固定部９１２と、２つのアーム部９１３とからなる閉路の内側に、ベース固定部９１１の略長辺方向の前面から背面に向かう向きに突出するように形成される。端子接続部９１１ｂの付近（両端）には、弾性部９１１ｃが設けられる。言い換えれば、ベース固定部９１１は、長辺部Ａおよび短辺部Ｂから構成されており、端子接続部９１１ｂの両端の一方は、弾性部９１１ｃ（Ａ）により長辺部Ａと繋がれ、他方は、弾性部９１１ｃ（Ｂ）により短辺部Ｂと繋がれている。なお、弾性部９１１ｃには、付勢力をより付加するため、図４に示すように切れ込み部を設けていてもよい。
【００３９】
一方、パーツ９２では、端子接続部９２１ｂが、ベース固定部９２１の端部に設けられる。すなわち、端子接続部９２１ｂは、２つのアーム部９２３の外側の位置に設けられる。言い換えれば、端子接続部９２１ｂは、ベース固定部９２１とレンズホルダ固定部９２２と、２つのアーム部９２３とからなる閉路の外側に設けられる。また、端子接続部９２１ｂは、ベース固定部９２１の略短辺方向に、外側（パーツ９１とは逆方向）に向かって形成される。端子接続部９２１ｂの一端には、弾性部９２１ｃが設けられる。
【００４０】
なお、上記で説明したパーツ９１（９２）の形状は、例示的なものであり、可動レンズユニット１２、端子１０、およびベース１１の形状に合わせて、適宜変形可能である。
【００４１】
（端子の構成）
２つの端子１０は、それぞれ、ベース１１の所定位置に固定される。図５に示すように、２つの端子１０は、それぞれ、板バネ接続部１０ａと基板接続部１０ｂとからなり、板バネ接続部１０ａと基板接続部１０ｂとは、略垂直に接続される。
【００４２】
板バネ接続部１０ａは、下側板バネ９の端子接続部９１１ｂまたは９２１ｂと電気的に接続される。
【００４３】
基板接続部１０ｂは、センサ基板（不図示）側の端子と電気的に接続される。
【００４４】
なお、２つの端子１０は、例示的に、ベース１１の形状に合わせて、形状・長さを非対称に構成している。以下、２つの端子１０のそれぞれを区別して説明する場合、２つの端子１０のうち、レンズ駆動装置１左側のものを第１端子１０１とし、レンズ駆動装置１右側のものを第２端子１０２とする。第１端子１０１および第２端子１０２は、それぞれ次のとおりの構成である。
【００４５】
第１端子１０１では、板バネ接続部１０ａは、上下方向に段差が設けられた構成である。また、基板接続部１０ｂは、Ｌ字型である。
【００４６】
一方、第２端子１０２では、板バネ接続部１０ａの形状は、平坦な板状に構成される。また、基板接続部１０ｂは、クランク型（言い換えればＳ字型）である。
【００４７】
第１端子１０１および第２端子１０２は、それぞれ、板バネ接続部１０ａが板状であるので、パーツ９１の端子接続部９１１ｂおよびパーツ９２の９２１ｂと面接触させることができる。
【００４８】
（ベースの構成）
図６に示すように、ベース１１は、概略的には、下側板バネ９を固定するための４つの板バネ固定部１１ａと、端子１０が挿入される２つの端子挿入孔１１ｃと、端子１０を設置するための２つの端子固定部１１ｄと、を備える。また、それぞれの板バネ固定部１１ａには、ボス１１ｂが設けられる。
【００４９】
より詳細には、ベース１１は、パーツ９１および第１端子１０１が固定される第１基部１１１と、パーツ９２および第２端子１０２が固定される第２基部１１２と、を含む。さらに言えれば、第１基部１１１および第２基部１１２とは、ベース１１を左右方向中央において二分割したときの一方および他方に相当するといえる。
【００５０】
第１基部１１１は、２つの板バネ固定部１１ａと、１つの端子挿入孔１１ｃと、１つの端子固定部１１ｄとを有する。
【００５１】
第１基部１１１では、端子挿入孔１１ｃは、第１基部１１１の前面端部に左側面寄りに設けられる。また、端子固定部１１ｄは、第１基部１１１の左側面端部であって、前面付近に設けられる。また、板バネ固定部１１ａの一方は、端子固定部１１ｄの付近に、端子挿入孔１１ｃに隣接するように設けられる。また、板バネ固定部１１ａの他方は、第１基部１１１の背面側の角に設けられる。
【００５２】
第２基部１１２は、残りの２つの板バネ固定部１１ａと、１つの端子挿入孔１１ｃと、１つの端子固定部１１ｄとを有する。
【００５３】
第２基部１１２では、端子挿入孔１１ｃは、第２基部１１２の前面端部に右側面寄りに設けられる。また、端子固定部１１ｄは、第２基部１１２の前面端部付近において、端子挿入孔１１ｃに隣接して設けられる。また、板バネ固定部１１ａの一方は、端子固定部１１ｄよりも背面側に、端子固定部１１ｄに隣接して設けられる。また、板バネ固定部１１ａの他方は、第２基部１１２の背面側の角に設けられる。
【００５４】
（端子のベースへの固定）
端子１０は、図７に示すように、ベース１１に設けた端子挿入孔１１ｃに基板接続部１０ｂを挿入し、さらに、板バネ接続部１０ａをベース１１の端子固定部１１ｄの上面に当てることで位置決めされる。
【００５５】
第１端子１０１は、左側の第１基部１１１で位置決めされ、第２端子１０２は、右側の第２基部１１２で位置決めされる。
【００５６】
なお、端子１０、端子固定部１１ｄ、板バネ接続部１０ａの形状・位置関係について説明すると次のとおりである。すなわち、端子１０の曲げ精度、端子の厚さ、端子固定部１１ｄの高さ・傾きに応じて、端子１０の板バネ接続部１０ａの高さ・傾きを適宜変更すればよい。
【００５７】
また、端子１０の板バネ接続部１０ａは、端子固定部１１ｄに設置される際、ベース１１の板バネ固定部１１ａより高くなるように設定される。すなわち、端子１０の板バネ接続部１０ａの厚みと、端子固定部１１ｄの高さとを合わせた高さは、ベース１１の板バネ固定部１１ａより高くなるように設定される。
【００５８】
下側板バネ９と端子１０との接続は、溶接により行われる。溶接の際、端子１０の板バネ接続部１０ａと、下側板バネ９とは密着していることが好ましい。また、下側板バネ９と端子１０とは、レーザ溶接により接続されることが好ましい。
【００５９】
（下側板バネのベースへの固定）
下側板バネ９のベース１１への固定は、図１に示すように、パーツ９１（９２）の位置決め穴９１１ａ（９２１ａ）をベース１１の第１基部１１１（第２基部１１２）が有する板バネ固定部１１ａに設けられているボス１１ｂに合わせ、ボス１１ｂを溶着することによって行われる。
【００６０】
上述のとおり、第１基部１１１と、第２基部１１２とでは、板バネ固定部１１ａの位置が異なるので、誤ってパーツ９１を第２基部１１２に設置し、パーツ９２を第１基部１１１に設置してしまうことを防ぐことができる。
【００６１】
また、上述のとおり、端子１０の板バネ接続部１０ａは、ベース１１の板バネ固定部１１ａより高くなるように設定される。さらに、パーツ９１（９２）の端子接続部９１１ｂ（９２１ｂ）の近くには、上述のとおり弾性部９１１ｃ（９２１ｃ）が設けられている。
【００６２】
よって、端子接続部９１１ｂ（９２１ｂ）は、弾性部９１１ｃ（９２１ｃ）の弾性により、端子１０１（１０２）の板バネ接続部１０ａの高さ・傾きに倣うようになっている。
【００６３】
〔変形例〕
下側板バネ９の形状は、以上で説明した形状に限られない。端子１０のベース１１における設置位置に応じて、パーツ９１における端子接続部９１１ｂおよびパーツ９２における端子接続部９２１ｂの位置を任意に設定することができる。
【００６４】
また、以上で説明した下側板バネ９のパーツ９１およびパーツ９２は、互いに非対称な形状であったが、これに限られない。パーツ９１およびパーツ９２を対称的な形状に構成することもできる。例えば、下側板バネ９の２つのパーツを、ベース１１の左右方向の側面中央を通る直線（不図示）に対して略線対称に構成することができる。この場合、それぞれのパーツの形状に、パーツ９１のものを採用してもよいし、パーツ９２のものを採用してもよい。また、採用する形状に応じて、端子１０の形状、ベース１１における板バネ固定部１１ａ、端子挿入孔１１ｃおよび端子固定部１１ｄの位置、ならびにコイル７との接続位置などは、それぞれ調整すればよい。すなわち、ベース１１の第１基部１１１および第２基部１１２、端子１０１および端子１０２は、それぞれ、左右対称な形状に構成することも可能である。
【００６５】
また、下側板バネ９は、パーツ９１およびパーツ９２の２つの部材により構成したが、これに限られない。１つの部材により構成することも可能である。
【００６６】
また、下側板バネ９のパーツ９１（９２）において、アーム部９１３（９２３）は、２つだったが、これに限られず、所望の付勢力に応じて、追加・削除することも可能である。すなわち、アーム部９１３（９２３）は、１つであってもよいし、３つ以上であってもよい。
【００６７】
〔まとめ〕
本発明の態様１に係るレンズ駆動装置は、レンズを保持し、前記レンズの光軸方向へ移動可能な可動体（レンズバレル２、レンズホルダ８）と、前記可動体を前記光軸方向へ駆動するための駆動機構（磁石６、コイル７）と、前記可動体を前記光軸方向へ移動可能に支持する板バネ（下側板バネ９、パーツ９１、パーツ９２）と、前記板バネが取り付けられる基部（ベース１１、第１基部１１１、第２基部１１２）と、を備え、前記駆動機構は、前記可動体に取り付けられる駆動用コイル（コイル７）を有しており、前記基部は、前記駆動用コイルに電流を供給するための端子（第１端子１０１、第２端子１０２）が取り付けられており、前記板バネは、前記可動体に固定され、前記駆動用コイルに電気的に接続される接続部を有する可動体固定部（レンズホルダ固定部９１２、９２２）と、前記基部に固定される基部固定部（ベース固定部９１１、９２１）と、前記可動体固定部と前記基部固定部とを繋ぐ腕部（９１３、９２３）と、前記端子と電気的に接続される端子接続部（９１１ｂ、９２１ｂ）と、前記基部固定部と前記端子接続部とを繋ぎ、前記端子接続部を前記端子に対して付勢する弾性部（９１１ｃ、９２１ｃ）とを有する。
【００６８】
上記の構成によれば、端子−板バネ−駆動機構（駆動用コイル）が電気的に接続される。このため、導通時には、駆動用コイルが駆動力を生じさせ、これにより可動体を駆動させる。
【００６９】
また、前記基部固定部と前記端子接続部とは弾性力を有する弾性部により接続されており、板バネの端子接続部は、前記端子に対して付勢される。
【００７０】
従って、板バネの端子接続部と、端子とを付勢力によって、より密着させることが可能となる。
【００７１】
よって、端子の部材精度（曲げ精度・厚さ精度）や、ベースの部材精度によらず、板バネと端子を安定的に接続することが可能となり、高品質なレンズ駆動装置を提供することができる。
【００７２】
本発明の態様２に係るレンズ駆動装置は、上記態様１において、前記端子は、前記端子接続部との接続部分が板状に形成されており、前記端子接続部と面接触するよう構成されていてもよい。
【００７３】
上記構成によれば、端子と板バネの端子接続部との面同士を、弾性部の付勢力によって、より密着させることが可能となり、板バネと端子とをより安定的に接続することが可能となる。
【００７４】
本発明の態様３に係るレンズ駆動装置は、上記態様１または２において、前記端子接続部と、前記端子とは、レーザ溶接により接続されていてもよい。
【００７５】
端子と板バネの端子接続部とを半田付けにより接続させる場合、端子と基板とを半田付けにより接続する際、半田付けの熱の影響で端子と板バネの端子接続部とを接続する半田が、溶融してしまい、端子と板バネの端子接続部との接続が断たれることがある。
【００７６】
上記構成によれば、端子と板バネの端子接続部とを半田付けしないため、端子と基板とを半田付けにより接続する際、半田付けの熱の影響を受けて、接続が断たれることを防ぐことができる。
【００７７】
本発明の態様４に係るレンズ駆動装置は、上記態様１から３までのいずれかの態様において、前記基部は、前記板バネの基部固定部を上部に固定するための板バネ固定部と、
前記端子を上部に取り付けるための端子固定部と、を有し、前記端子は、前記板バネの前記端子接続部が上部に固定される板バネ接続部を備え、前記端子固定部に取り付けられた時に、前記板バネ接続部における端子の厚みと端子固定部の高さとを合わせた高さが、前記板バネ固定部の高さよりも高くなることを特徴とする請求項１から３のいずれか１項に記載のレンズ駆動装置。
【００７８】
上記構成によれば、前記端子は、前記端子固定部に取り付けられた時に、該端子の厚みと端子固定部の高さとを合わせた高さが、前記板バネ固定部の高さよりも高くなるので、板バネが、基部に固定された際、端子の上部の高さが、板バネの基部固定部の下面の高さに反映される。
【００７９】
この結果、弾性部において、前記端子接続部を前記端子に対して付勢する力がより強くなる。これにより、板バネと端子とをより安定的に接続することが可能となる。
【００８０】
本発明の態様５に係るレンズ駆動装置は、上記態様１から４までのいずれかの態様において、前記基部固定部は、第１部分（長辺部Ａ／短辺部Ｂ）および第２部分（短辺部Ｂ／長辺部Ａ）から構成され、
前記弾性部は、前記第１部分と前記端子接続部とを繋ぐ第１弾性部（弾性部９１１ｃ（Ａ／Ｂ））と、前記第２部分と前記端子接続部とを繋ぐ第２弾性部（弾性部９１１ｃ（Ｂ／Ａ））とを有していてもよい。
【００８１】
上記構成によれば、前記端子接続部は、第１接続部および第２接続部の２箇所で弾性部により接続される。よって、弾性部がひとつの場合と比べて、付勢力を強くすることができる。これにより、板バネと端子とをより安定的に接続することが可能となる。
【００８２】
本発明の態様６に係る電子機器は、上記態様１から５のいずれかのレンズ駆動装置と、
前記レンズの光軸に合わせて設けられる撮像素子を搭載するセンサ基板と、を備え、
前記端子がセンサ基板側と接続されることを特徴とする電子機器。
【００８３】
上述のようなレンズ駆動装置と、前記光軸に合わせて設けられる撮像素子を搭載するセンサ基板と、を備え、前記端子がセンサ基板側と接続される電子機器も本発明の技術的範疇である。
【００８４】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００８５】
本発明は、画像または映像を撮像する機能を有する電子機器（例えば、携帯電話）または当該電子機器を構成する部品の製造分野において利用することができる。
【符号の説明】
【００８６】
１        レンズ駆動装置
２        レンズバレル
３        ヨーク
４        スペーサ
５        上側板バネ
６        磁石
７        コイル
８        レンズホルダ
９        下側板バネ
９１      パーツ
９１１    ベース固定部
９１１ａ  位置決め穴
９１１ｂ  端子接続部
９１１ｃ  弾性部
９１２    レンズホルダ固定部
９１２ａ  コイル接続部
９１３    アーム部
９２      パーツ
９２１    ベース固定部
９２１ａ  位置決め穴
９２１ｂ  端子接続部
９２１ｃ  弾性部
９２２    レンズホルダ固定部
９２２ａ  コイル接続部
９２３    アーム部
１０        端子
１０１      第１端子
１０２      第２端子
１０ａ      板バネ接続部
１０ｂ      基板接続部
１１        ベース
１１１      第１基部
１１２      第２基部
１１ａ      板バネ固定部
１１ｂ      ボス
１１ｃ      端子挿入孔
１１ｄ      端子固定部
１２        可動レンズユニット
【図１】
0005996672.tif 000002
【図２】
0005996672.tif 000003
【図３】
0005996672.tif 000004
【図４】
0005996672.tif 000005
【図５】
0005996672.tif 000006
【図６】
0005996672.tif 000007
【図７】
0005996672.tif 000008